(57)【特許請求の範囲】
【請求項１】
台座と、レンズアセンブリと、光源アセンブリとを有し、更に、
前記レンズアセンブリに雌ネジが設置され、前記台座に前記雌ネジと相互に係合する雄ネジが対応するように設置され、前記レンズアセンブリと前記台座の間がネジを介して接続され、密閉された収容スペースを形成し、更に、前記台座と前記レンズアセンブリのネジ接続部と前記収容スペースの間の部分に更にシールリングが設置され、
前記光源アセンブリが当該収容スペース内に位置し、かつ前記光源アセンブリが前記台座の一側に設置され、
前記シールリングが階段状シールリングであって、前記階段状シールリングが外周径方向サイズの大きい方の円柱部分と外周径方向サイズの小さい方の円柱部分とを有し、前記レンズアセンブリに前記階段状シールリングと相互に係合する第一係合構造が設置され、前記台座に前記階段状シールリングと相互に係合する第二係合構造が設置され、
前記レンズアセンブリには、その外周辺縁に沿って前記台座の方向に向かって、環状突起部が設置され、前記環状突起部が厚みのある中空の円柱体であって、前記環状突起部に環状凹溝が設置され、前記環状凹溝の開口部が前記台座に対向し、前記環状凹溝が第一円周側面と、第二円周側面と、溝底面とによって形成され、前記第一円周側面が前記第二円周側面の外輪に位置し、かつ前記第一円周側面に前記雌ネジが設置され、前記溝底面と前記第二円周側面が共同して前記第一係合構造を構成し、
前記台座の雄ネジと前記第二係合構造の設置及び構造は、前記台座の前記レンズアセンブリに対向する端面に環状突壁が設置され、前記光源アセンブリが当該環状突壁に囲まれた領域内に位置し、前記環状突壁が前記レンズアセンブリの前記環状凹溝内に延在でき、かつ前記環状突壁の外側面に前記雄ネジが設置され、前記環状突壁の上表面と前記環状突壁の内側面が共同して前記第二係合構造を構成する、
ＬＥＤモジュール。
【請求項２】
台座と、レンズアセンブリと、光源アセンブリとを有し、更に、
前記レンズアセンブリに雌ネジが設置され、前記台座に前記雌ネジと相互に係合する雄ネジが対応するように設置され、前記レンズアセンブリと前記台座の間がネジを介して接続され、密閉された収容スペースを形成し、更に、前記台座と前記レンズアセンブリのネジ接続部と前記収容スペースの間の部分に更にシールリングが設置され、
前記光源アセンブリが当該収容スペース内に位置し、かつ前記光源アセンブリが前記台座の一側に設置され、
前記シールリングが階段状シールリングであって、前記階段状シールリングが外周径方向サイズの大きい方の円柱部分と外周径方向サイズの小さい方の円柱部分とを有し、前記レンズアセンブリに前記階段状シールリングと相互に係合する第一係合構造が設置され、前記台座に前記階段状シールリングと相互に係合する第二係合構造が設置され、
前記レンズアセンブリには、その外周辺縁に沿って前記台座の方向に向かって、環状突起部が設置され、前記環状突起部が厚みのある中空の円柱体であって、前記環状突起部に環状凹溝が設置され、前記環状凹溝の開口部が前記台座に対向し、前記環状凹溝が第一円周側面と、第二円周側面と、溝底面とによって形成され、前記第一円周側面が前記第二円周側面の外輪に位置し、かつ前記第一円周側面に前記雌ネジが設置され、前記溝底面が階段状であって、深い方の第一底面と浅い方の第二底面と両者の間の第一接続表面とを有し、前記第一底面と前記第一円周側面が隣接し、前記第二底面と前記第二円周側面が隣接し、前記第二底面と前記第二円周側面が共同して前記第一係合構造を構成し、
前記台座の雄ネジと前記第二係合構造の設置及び構造は：前記台座の前記レンズアセンブリに対向する端面に環状突壁が設置され、前記光源アセンブリが当該環状突壁に囲まれた領域内に位置し、前記環状突壁が前記レンズアセンブリの前記環状凹溝内に延在でき、かつ前記環状突壁の外側面に前記雄ネジが設置され、前記環状突壁の内側面が階段状であって、上部に位置する第三円周側面と、下部に位置する第四円周側面と、両者の間の第二接続表面とを有し、前記第四円周側面と前記第二接続表面が共同して前記第二係合構造を構成する、
ＬＥＤモジュール。
【請求項３】
前記階段状シールリングの前記外周径方向サイズの小さい方の円柱部分の外周面に複数組のかぎ状部分が設置される、
ことを特徴とする請求項１又は請求項２に記載のＬＥＤモジュール。
【請求項４】
前記階段状シールリングの前記外周径方向サイズの小さい方の円柱部分の外周面が円錐面であって、更に、前記外周径方向サイズの小さい方の円柱部分と前記外周径方向サイズの大きい方の円柱部分の接続端の径方向サイズが、前記外周径方向サイズの小さい方の円柱部分の他端の径方向サイズより大きい、
ことを特徴とする請求項１乃至３のいずれか一項に記載のＬＥＤモジュール。
【請求項５】
前記シールリングの軸方向に沿った断面が楔形であって、かつその外周面は上部が大きく下部が小さい円錐面であり、それに対応して、前記レンズアセンブリに前記階段状シールリングと相互に係合する第三係合構造が設置され、前記台座に前記階段状シールリングと相互に係合する第四係合構造が設置される、
ことを特徴とする請求項１乃至４のいずれか一項に記載のＬＥＤモジュール。
【請求項６】
台座と、レンズアセンブリと、光源アセンブリとを有し、更に、
前記レンズアセンブリに雌ネジが設置され、前記台座に前記雌ネジと相互に係合する雄ネジが対応するように設置され、前記レンズアセンブリと前記台座の間がネジを介して接続され、密閉された収容スペースを形成し、更に、前記台座と前記レンズアセンブリのネジ接続部と前記収容スペースの間の部分に更にシールリングが設置され、
前記光源アセンブリが当該収容スペース内に位置し、かつ前記光源アセンブリが前記台座の一側に設置され、
前記シールリングの軸方向に沿った断面が楔形であって、かつその外周面は上部が大きく下部が小さい円錐面であり、それに対応して、前記レンズアセンブリに前記シールリングと相互に係合する第三係合構造が設置され、前記台座に前記シールリングと相互に係合する第四係合構造が設置され、
前記レンズアセンブリの前記光源アセンブリに対向する一面に環状突起が設置され、前記環状突起が前記レンズアセンブリの雌ネジの内側に位置し、かつ前記環状突起と前記レンズアセンブリの雌ネジの間に一定の距離が有り、第二溝底面を形成し、前記台座に第二環状凹溝が設置され、前記第二環状凹溝が底面とスロープ状の内側面とを有し、前記第二環状凹溝の周囲に第二環状突壁が形成され、更に、前記環状突起の外周面とその隣接する前記第二溝底面の一部分が共同して前記第三係合構造を構成し、前記台座の前記第二環状凹溝の内側面とその隣接する前記底面の一部分が共同して前記第四係合構造を構成する、
ＬＥＤモジュール。
【請求項７】
前記台座の環状突壁の上表面に凹溝が設置され、前記凹溝内にシーリング材が充填される、
ことを特徴とする請求項１又は２に記載のＬＥＤモジュール。
【請求項８】
台座と、レンズアセンブリと、光源アセンブリとを有し、更に、
前記レンズアセンブリに雌ネジが設置され、前記台座に前記雌ネジと相互に係合する雄ネジが対応するように設置され、前記レンズアセンブリと前記台座の間がネジを介して接続され、密閉された収容スペースを形成し、更に、前記台座と前記レンズアセンブリのネジ接続部と前記収容スペースの間の部分に更にシールリングが設置され、
前記光源アセンブリが当該収容スペース内に位置し、かつ前記光源アセンブリが前記台座の一側に設置され、
前記シールリングの軸方向に沿った断面が楔形であって、かつその外周面は上部が大きく下部が小さい円錐面であり、それに対応して、前記レンズアセンブリに前記シールリングと相互に係合する第三係合構造が設置され、前記台座に前記シールリングと相互に係合する第四係合構造が設置され、
前記台座の第二環状突壁の上表面に凹溝が設置され、前記凹溝内にシーリング材が充填される、
ＬＥＤモジュール。
【請求項９】
前記レンズアセンブリがレンズ部とネジ接続部とを有し、前記レンズ部と前記ネジ接続部が一体成型又は固定的に接続される、
ことを特徴とする請求項１乃至８のいずれか一項に記載のＬＥＤモジュール。
【請求項１０】
前記レンズアセンブリがレンズとレンズ締め付けリングによって構成され、前記レンズ締め付けリングが前記レンズを前記台座に押圧し、かつ前記レンズ締め付けリングと前記台座がネジ接続される、
ことを特徴とする請求項１乃至９のいずれか一項に記載のＬＥＤモジュール。
【請求項１１】
前記レンズの前記台座に対向する一側に位置決めカラムが設置され、前記台座の上端面に位置決めホールが対応するように設置される、
ことを特徴とする請求項１０に記載のＬＥＤモジュール。
【請求項１２】
前記レンズアセンブリの環状突起部に、その辺縁に沿って周方向に向かって、第一同一方向歯状構造が設置され、前記台座に前記第一同一方向歯状構造に対応する第二同一方向歯状構造が設置され、前記レンズアセンブリと前記台座がネジ接続された後、前記第一同一方向歯状構造と前記第二同一方向歯状構造が相互に噛合し固定される、
ことを特徴とする請求項１乃至１１のいずれか一項に記載のＬＥＤモジュール。
【請求項１３】
前記雌ネジと前記雄ネジが相互に係合する二条ネジである、
ことを特徴とする請求項１乃至１２のいずれか一項に記載のＬＥＤモジュール。
【請求項１４】
前記レンズアセンブリと前記台座によって形成される密封された収容スペース内に封止剤が充填される、
ことを特徴とする請求項１乃至１３のいずれか一項に記載のＬＥＤモジュール。
【請求項１５】
前記台座の前記レンズアセンブリから離れた一側に幾つかの放熱構造が設置され、前記放熱構造が幾つかのプレートフィンと幾つかの円環フィンとを有し、前記幾つかのプレートフィンが中間位置に設置され、前記幾つかの円環フィンが前記幾つかのプレートフィンの周りに設置される、
ことを特徴とする請求項１乃至１４のいずれか一項に記載のＬＥＤモジュール。
【請求項１６】
前記レンズアセンブリの出光面外周に突壁が設置され、前記突壁の内側面に反射層が設置される、
ことを特徴とする請求項１乃至１５のいずれか一項に記載のＬＥＤモジュール。
【請求項１７】
照明装置であって、当該照明装置内に少なくとも一つのＬＥＤモジュールが設置され、前記ＬＥＤモジュールに請求項１乃至請求項１６のいずれか一項に記載のＬＥＤモジュールが採用される、
ことを特徴とする照明装置。
【発明の詳細な説明】
【技術分野】
【０００１】
本発明は照明装置の設計技術分野、特にＬＥＤモジュール及び照明装置に関わるものである。
【背景技術】
【０００２】
ＬＥＤ照明器具は省エネ、長寿命、良好な適用性、短い応答時間、環境保護等の特長を有し、照明器具産業の発展すべき方向性を示すものである。ＬＥＤモジュールはＬＥＤ照明器具において不可欠の一部分であり、通常、ＬＥＤモジュールは、レンズアセンブリ、光源アセンブリ、放熱器によって構成され、光源アセンブリを放熱器の上に設置し、放熱器を覆うようにレンズアセンブリを設置することで、光源アセンブリをレンズアセンブリと放熱器の間に配置させる。
【０００３】
従来技術では、レンズアセンブリが、通常、ネジ、締結具等の方式で放熱器に接続されていたが、これらの接続方式では、取り付けが困難で、緩みが出現し易く、堅牢に接続できないことから、レンズアセンブリと放熱器の間の密封性能に影響を及ぼし、密封効果に劣るものであった。また、レンズアセンブリと放熱器の間のネジ、締結具を用いた接続形式は、点受力による接続方式であって、受力点が限定され、受力面積が小さくかつ不均一であることから、堅牢な接続ができず、密封効果に劣るものであった。
【発明の概要】
【発明が解決しようとする課題】
【０００４】
上述の課題を解決するため、本発明は、
台座と、レンズアセンブリと、光源アセンブリとを有し、更に、
前記レンズアセンブリに雌ネジが設置され、前記台座に前記雌ネジと相互に係合する雄ネジが対応するように設置され、前記レンズアセンブリと前記台座の間がネジを介して接続され、密閉された収容スペースを形成し、更に、前記台座と前記レンズアセンブリのネジ接続部と前記収容スペースの間の部分に更にシールリングが設置され、
前記光源アセンブリが当該収容スペース内に位置し、かつ前記光源アセンブリが前記台座の一側に設置される、ＬＥＤモジュールを提供する。
【０００５】
好ましくは、前記シールリングが階段状シールリングであって、前記階段状シールリングが外周径方向サイズの大きい方の円柱部分と外周径方向サイズの小さい方の円柱部分とを有し、前記レンズアセンブリに前記階段状シールリングと相互に係合する第一係合構造が設置され、前記台座に前記階段状シールリングと相互に係合する第二係合構造が設置される。
【０００６】
好ましくは、前記レンズアセンブリには、その外周辺縁に沿って前記台座の方向に向かって、環状突起部が設置され、前記環状突起部が厚みのある中空の円柱体であって、前記環状突起部に環状凹溝が設置され、前記環状凹溝の開口部が前記台座に対向し、前記環状凹溝が第一円周側面と、第二円周側面と、溝底面とによって形成され、前記第一円周側面が前記第二円周側面の外輪に位置し、かつ前記第一円周側面に前記雌ネジが設置され、前記溝底面と前記第二円周側面が共同して前記第一係合構造を構成し、
前記台座の雄ネジと前記第二係合構造の設置及び構造は、前記台座の前記レンズアセンブリに対向する端面に環状突壁が設置され、前記光源アセンブリが当該環状突壁に囲まれた領域内に位置し、前記環状突壁が前記レンズアセンブリの前記環状凹溝内に延在でき、かつ前記環状突壁の外側面に前記雄ネジが設置され、前記環状突壁の上表面と前記環状突壁の内側面が共同して前記第二係合構造を構成するものである。
【０００７】
好ましくは、前記レンズアセンブリには、その外周辺縁に沿って前記台座の方向に向かって、環状突起部が設置され、前記環状突起部が厚みのある中空の円柱体であって、前記環状突起部に環状凹溝が設置され、前記環状凹溝の開口部が前記台座に対向し、前記環状凹溝が第一円周側面と、第二円周側面と、溝底面とによって形成され、前記第一円周側面が前記第二円周側面の外輪に位置し、かつ前記第一円周側面に前記雌ネジが設置され、前記溝底面が階段状であって、深い方の第一底面と浅い方の第二底面と両者の間の第一接続表面とを有し、前記第一底面と前記第一円周側面が隣接し、前記第二底面と前記第二円周側面が隣接し、前記第二底面と前記第二円周側面が共同して前記第一係合構造を構成し、
前記台座の雄ネジと前記第二係合構造の設置及び構造は、前記台座の前記レンズアセンブリに対向する端面に環状突壁が設置され、前記光源アセンブリが当該環状突壁に囲まれた領域内に位置し、前記環状突壁が前記レンズアセンブリの前記環状凹溝内に延在でき、かつ前記環状突壁の外側面に前記雄ネジが設置され、前記環状突壁の内側面が階段状であって、上部に位置する第三円周側面と、下部に位置する第四円周側面と、両者の間の第二接続表面とを有し、前記第四円周側面と前記第二接続表面が共同して前記第二係合構造を構成するものである。
【０００８】
好ましくは、前記階段状シールリングの前記外周径方向サイズの小さい方の円柱部分の外周面に複数組のかぎ状部分が設置される。
【０００９】
好ましくは、前記階段状シールリングの前記外周径方向サイズの小さい方の円柱部分の外周面が円錐面であって、更に、前記外周径方向サイズの小さい方の円柱部分と前記外周径方向サイズの大きい方の円柱部分の接続端の径方向サイズが、前記外周径方向サイズの小さい方の円柱部分の他端の径方向サイズより大きい。
【００１０】
好ましくは、前記階段状シールリングの前記外周径方向サイズの小さい方の円柱部分の外周面が円錐面であって、更に、前記外周径方向サイズの小さい方の円柱部分と前記外周径方向サイズの大きい方の円柱部分の接続端の径方向サイズが、前記外周径方向サイズの小さい方の円柱部分の他端の径方向サイズより大きい。
【００１１】
好ましくは、前記シールリングの軸方向に沿った断面が楔形であって、かつその外周面は上部が大きく下部が小さい円錐面であり、それに対応して、前記レンズアセンブリに前記階段状シールリングと相互に係合する第三係合構造が設置され、前記台座に前記階段状シールリングと相互に係合する第四係合構造が設置される。
【００１２】
好ましくは、前記レンズアセンブリの前記光源アセンブリに対向する一面に環状突起が設置され、前記環状突起が前記レンズアセンブリの雌ネジの内側に位置し、かつ前記環状突起と前記レンズアセンブリの雌ネジの間に一定の距離が有り、第二溝底面を形成し、前記台座に第二環状凹溝が設置され、前記第二環状凹溝が底面とスロープ状の内側面とを有し、前記第二環状凹溝の周囲に第二環状突壁が形成され、更に、前記環状突起の外周面とその隣接する前記第二溝底面の一部分が共同して前記第三係合構造を構成し、前記台座の前記第二環状凹溝の内側面とその隣接する前記底面の一部分が共同して前記第四係合構造を構成する。
【００１３】
好ましくは、前記台座の環状突壁又は第二環状突壁の上表面に凹溝が設置され、前記凹溝内にシーリング材が充填される。
【００１４】
好ましくは、前記レンズアセンブリがレンズ部とネジ接続部とを有し、前記レンズ部と前記ネジ接続部が一体成型又は固定的に接続される。
【００１５】
好ましくは、前記レンズアセンブリがレンズとレンズ締め付けリングによって構成され、前記レンズ締め付けリングが前記レンズを前記台座に押圧し、かつ前記レンズ締め付けリングと前記台座がネジ接続される。
【００１６】
好ましくは、前記レンズが前記台座に固定的に設置され、更に、前記レンズの前記台座に相対する一側に位置決めカラムが設置され、前記台座の上端面に位置決めホールが対応するように設置される。
【００１７】
好ましくは、前記レンズアセンブリの環状突起部に、その辺縁に沿って周方向に向かって、第一同一方向歯状構造が設置され、前記台座に前記第一同一方向歯状構造に対応する第二同一方向歯状構造が設置され、前記レンズアセンブリと前記台座がネジ接続された後、前記第一同一方向歯状構造と前記第二同一方向歯状構造が相互に噛合し固定される。
【００１８】
好ましくは、前記雌ネジと前記雄ネジが相互に係合する二条ネジである。
【００１９】
好ましくは、前記レンズアセンブリと前記台座によって形成される前記密封収容スペース内に封止剤が充填される。
【００２０】
好ましくは、前記台座の前記レンズアセンブリから離れた一側に幾つかの放熱構造が設置され、前記放熱構造が幾つかのプレートフィンと幾つかの円環フィンとを有し、前記幾つかのプレートフィンが中間位置に設置され、前記幾つかの円環フィンが前記幾つかのプレートフィンの周りに設置される。
【００２１】
好ましくは、前記レンズアセンブリの出光面外周に突壁が設置され、前記突壁の内側面に反射層が設置される。
【００２２】
本発明は、
台座と、レンズアセンブリと、光源アセンブリとを有し、更に、
前記レンズアセンブリに雄ネジが設置され、前記台座に前記雌ネジと相互に係合する雄ネジが対応するように設置され、前記レンズアセンブリと前記台座の間がネジを介して接続され、密閉された収容スペースを形成し、更に、前記台座と前記レンズアセンブリのネジ接続部と前記収容スペースの間の部分に更にシールリングが設置され、
前記光源アセンブリが当該収容スペース内に位置し、かつ前記光源アセンブリが前記台座の一側に設置される、ＬＥＤモジュールを更に提供する。
【００２３】
本発明は更に照明装置を提供し、当該照明装置には少なくとも一つのＬＥＤモジュールが設置され、前記ＬＥＤモジュールには上記のいずれか一項に記載のＬＥＤモジュールが採用される。
【００２４】
本発明は、以上の技術的解決手段を採用することによって、従来技術に比べ、以下の優位性と好ましい効果を有する。
【００２５】
１）本発明が提供するＬＥＤモジュールは、レンズアセンブリと台座の間にネジ接続を採用し、かつ両者のネジ接続部はいずれも円柱形を呈し、更にシールリングが組み合わさって設置されることから、ＬＥＤモジュールの良好な密封性能を実現できる。従来技術において採用される締結具、ネジ等による接続方式に比べ、本発明はレンズアセンブリと台座の間の受力面が大きく、かつ受力も均一であることから、レンズアセンブリと台座の間が堅牢に接続され、良好な密封性を備え、かつネジ接続方式によって、レンズアセンブリと台座の間の取り付け及び取り外しが容易になる。
【００２６】
２）本発明が提供するＬＥＤモジュールは、レンズアセンブリと台座接続部にそれぞれ第一係合構造と第二係合構造が設置され、第一係合構造と第二係合構造の間に階段状シールリングが設置される。好ましくは更にシーリング材が設置されることで、レンズアセンブリと台座の間に良好な密封効果を持たせる。
【００２７】
３）本発明が提供するＬＥＤモジュールは、レンズアセンブリと台座接続部にそれぞれ第三係合構造と第四係合構造が設置され、第三係合構造と第四係合構造の間に楔形シールリングが設置され、好ましくは更にシーリング材が設置されることで、レンズアセンブリと台座の間に良好な密封効果を持たせる。
【００２８】
４）本発明が提供するＬＥＤモジュールは、ネジ接続の方式を介してレンズと台座の間の回転接続を実現する以外にも、更に第一同一方向歯状構造と第二同一方向歯状構造の間の噛合、又はレンズアセンブリの位置決めカラムと台座の位置決めホールが対応するように設置されることによって、台座とレンズアセンブリの間の自動ロックと配光の位置決めを実現し、これによりレンズアセンブリと台座の間の接続が更に強化され、両者の間に緩みが出現することを防止し、また、一部のレンズが配光を必要とする問題を解決することができる。
【００２９】
５）本発明が提供するＬＥＤモジュールの台座は、プレートフィンと円環フィンを組み合わせて台座の放熱部分としており、プレートフィンは放熱面積を大きくする効果を有し、円環フィンは全体の構造強度を向上させる効果を有することから、本発明により、放熱効果を保証するのみならず、台座の強度も増強させる。
【図面の簡単な説明】
【００３０】
図面を参照して、以下、本発明の上述の特長及び優位性について更に明確に理解できるよう、詳細に説明する。
【図１】本発明実施例一の分解概略図である。
【図２】本発明実施例一の断面図である。
【図３】本発明実施例一のレンズアセンブリの構造概略図である。
【図４】本発明実施例一の台座の構造概略図である。
【図５】本発明実施例一のシールリングの構造概略図である。
【図６】本発明実施例二の分解概略図である。
【図７】本発明実施例三の断面図である。
【図８】本発明実施例三の分解図である。
【図９】本発明実施例四の分解概略図である。
【図１０】本発明実施例四の断面図である。
【図１１】本発明実施例五の分解構造概略図である。
【図１２】本発明実施例五の断面図であり、図中、点線で表示する円形部分は図１３に示す部分である。
【図１３】本発明実施例五のレンズアセンブリと台座の接続部の断面図の一部拡大図である。
【発明を実施するための形態】
【００３１】
本発明の実施例を示す図面を参照して、以下、本発明について更に詳細に説明する。しかしながら、本発明は数多くの形態で実現することが可能であり、ここに提示する実施例によって限定されないことは言うまでもない。また一方で、提示するこれらの実施例は、充分かつ完全な開示を実現し、かつ本技術分野の技術者が本発明の範囲を完全に理解できるようにするためのものである。これら図面では、明確を期するため、範囲及び領域のサイズ及びサイズの縮尺を拡大した部分がある。
【００３２】
実施例一
図１−２に示すように、本実施例は、レンズアセンブリと、台座２ａと、光源アセンブリ３ａとを有し、更に、前記レンズアセンブリに雌ネジが設置され、台座２ａに前記雌ネジと相互に係合する雄ネジが対応するように設置され、前記レンズアセンブリと台座２ａの間にネジ接続を介して密閉された収容スペースが形成され、更に、台座２ａと前記レンズアセンブリのネジ接続部と前記収容スペースの間の部分に更にシールリングが設置され、光源アセンブリ３ａが当該収容スペース内に位置し、かつ光源アセンブリ３ａが台座２ａの一側に設置されるＬＥＤモジュールを提供する。具体的には、光源アセンブリ３ａが基板及び基板に設置される幾つかのＬＥＤ発光体によって構成され、前記基板は、例えばＰＣＢＡとすることができるが、光源アセンブリの具体的な構造形態はこれに限定されず、ＣＯＢ等の構造形態を採用してもよく、特に限定されるものではないことを言うまでもない。
【００３３】
本実施例において、前記レンズアセンブリはレンズ１ａであり、図３に示す通りである。図３は前記レンズの断面図であって、本実施例におけるレンズ外輪郭全体は円柱形を呈するが、他の形状を呈してもよいことは言うまでもなく、それに設けられるネジ接続部が円柱形であることを保証できさえすればよく、特に限定されるものではない。
【００３４】
図１、図２、図３に示すように、本実施例において、レンズ１ａはボトルキャップ状を呈し、その一端が開口しており、レンズ１ａはレンズ部とネジ接続部とを有する。本実施例において、レンズ１ａには一体射出成型レンズを採用しており、これにより、前記レンズ部と前記ネジ接続部が一体成型される。その他の実施形態において、レンズに組立レンズを採用することができ、この場合は前記レンズ部と前記ネジ接続部を、例えば接着又は溶接で、固定的に接続すればよく、本発明はこれを限定するものではない。
【００３５】
本実施例において、好ましくは、レンズ１ａのレンズ部の出光面外周に突壁が設置され、前記突壁の内側面に反射層が設置され、発光効率の向上のために用いられる。反射層の設置方式は、高反射率インクをスプレーする、又は高反射率フィルムを貼付する、又は高反射率の金属フィルムを電気メッキする方式とすることができ、特に限定するものではない。
【００３６】
図１、図２、図４に示すように、本実施例のシールリングは階段状シールリング４ａであり、前記階段状シールリングが外周径方向サイズの大きい方の円柱部分と外周径方向サイズの小さい方の円柱部分とを有し、更に、レンズ１ａに階段状シールリング４ａと相互に係合する第一係合構造が設置され、かつ台座２ａに当該階段状シールリング４ａと相互に係合する第二係合構造が設置される。Ｏ型シールリングのような一般的なシールリングに比べ、階段状シールリングの接触面積は更に大きく、密封回路も更に長いことから、更に良好な密封効果が得られる。本発明のその他の実施形態において、シールリングに、Ｏ型シールリング等、その他タイプの一般的なシールリングを選定使用することもでき、本発明ではシールリングの具体的なタイプを限定するものではない。
【００３７】
図１、図３、図４に示すように、具体的には、
本実施例において、レンズ１ａの雌ネジ及びその上の前記第一係合構造の具体的な設置及び構造は以下の通りである。レンズ１ａの外周辺縁に沿って前記台座２ａの方向に向かって環状突起部が設置され、前記環状突起部が厚みのある中空の円柱体であって、前記環状突起部に環状凹溝１０ａが設置され、前記環状凹溝１０ａの開口部が前記台座２ａに対向し、前記環状凹溝１０ａが第一円周側面１０１と、第二円周側面１０２と、溝底面によって形成され、前記第一円周側面１０１が前記第二円周側面１０２の外輪に位置し、かつ前記第一円周側面１０１に前記雌ネジが設置される。前記溝底面が階段状であって、深い方の第一底面１０３と、浅い方の第二底面１０４と、両者の間の第一接続表面１０５とを有し、前記第一底面１０３と前記第一円周側面１０１が隣接し、前記第二底面１０４と前記第二円周側面１０２が隣接し、前記第二底面１０４と前記第二円周側面１０２が共同して前記第一係合構造を構成する。
【００３８】
前記台座２ａの雄ネジと前記第二係合構造の設置及び構造は以下の通りである。前記台座２ａの前記レンズ１ａに面する端面に環状突壁２０１ａが設置され、前記光源アセンブリ３ａが当該環状突壁２０１ａに囲まれた区域内に位置し、かつ光源アセンブリ３ａが台座２ａの上端面と固定的に接続されるものであり、具体的にはネジ５等の接続構造を介して接続できる。前記環状突壁２０１ａが前記レンズ１ａの前記環状凹溝１０ａ内に延在でき、かつ前記環状突壁２０１ａの外側面に前記雄ネジが設置され、前記環状突壁２０１ａの内側面が階段状であって、上部に位置する第三円周側面２０２と、下部に位置する第四円周側面２０４と、両者の間の第二接続表面２０３と、を有し、前記第四円周側面２０４と前記第二接続表面２０３が共同して前記第二係合構造を構成する。
【００３９】
以上は第一係合構造と第二係合構造の具体的な実施形態の一つに過ぎず、本発明のその他実施形態において、レンズの環状突起部の環状凹溝の溝底面が、上述の階段状の面ではなく、一つの面であってもよく、それに対応して、台座の環状突壁の内側面も、上述の階段状の面ではなく、一つの面であってもよい。これらの実施形態において、階段状シールリングに係合する第一係合構造は、レンズの環状突起部の溝底面と第二円周側面であって、階段状シールリングと係合する第二係合構造は、台座の環状突壁の上表面と内側面である。
【００４０】
また、レンズの環状突起部の環状凹溝の溝底面と台座の環状突壁の内側面にも必要に応じて複数の段を設置することができ、本発明はこれを限定するものではない。
【００４１】
以上で説明した幾つかの種類の第一係合構造と第二係合構造はいずれも極めて良好に階段状シールリングと係合し、良好な密封を実現する。
【００４２】
本実施例のレンズ１ａと台座２ａをネジ接続する場合では、台座２ａの環状突壁２０１ａがレンズ１ａの環状凹溝１０ａ内に延在し、レンズ１ａと台座２ａが相互に回転して、レンズ１ａの雌ネジと台座２ａの雄ネジを相互に接続させ、更に、第一係合構造と第二係合構造がいずれも階段状シールリング４ａと接触し、かつレンズ１ａの雌ネジの軸方向に階段状シールリング４ａが圧着され、密封を実現する。本発明においてレンズ１ａと台座２ａの間がネジを介して回転可能に接続されることは、一方では、レンズ１ａと台座２ａの間の接続を容易にするものであって、工具を使わない取り付け、取り外しを実現できる。もう一方では、レンズ１ａと台座２ａの接続面が円形構造であり、かつ両者の間がネジで接続される。この接続方式は、従来技術の締結具、ネジ等を用いた接続方式に比べ、レンズ１ａと台座２ａの間の受力面が大きく、かつ受力が均一であることから、レンズ１ａと台座２ａの間の接続を更に堅牢なものとし、更に階段状シールリング４ａの設置を組み合わせることで、当該ＬＥＤモジュールに良好な密封性を持たせることが可能となる。
【００４３】
図１に示すように、本実施例において、階段状シールリング４ａのシールリング軸方向に沿った断面は等しく階段状である。階段状シールリング４ａの構造は図２と図５に示す通りである。当該階段状シールリング４ａは一つの軸つばを有する中空円柱であって、階段状シールリング４ａの外輪径方向サイズの大きい方の円柱部分は、第一フランジ４１であり、階段状シールリングの径方向サイズの小さい方の円柱部分４２の外周面４２１に更に複数組のかぎ状部分４２２が設置され、これらのかぎ状部分４２２の頭部が前記第一フランジ４１の方向に向いている。
【００４４】
図２と図５に示すように、階段状シールリング４ａの第一フランジ４１の第一端面４１１とレンズ１ａ上の第二底面１０４が相互に接触し、第一フランジ４１の階段状シールリング４ａの径方向サイズの小さい方の円柱部分４２の外端面に隣接する軸方向に向かう端面４１２と台座の第二接続表面２０３が相互に接触する。階段状シールリング４ａの内輪面４３とレンズ１ａ上の第二円周側面１０２が相互に接触し、階段状シールリング４ａの径方向サイズの小さい方の円柱部分４２の外周面４２１と台座２ａの第四円周側面２０４が相互に接触する。
【００４５】
本実施例において、更に好ましくは、階段状シールリング４ａの径方向サイズの小さい方の円柱部分４２の外周面４２１が円錐面であって、更に、前記外周径方向サイズの小さい方の円柱部分４２と前記第一フランジ４１の接続端の径方向サイズが、前記外周径方向サイズの小さい方の円柱部分４２の他端の径方向サイズより大きい。即ち、階段状シールリング４ａの径方向サイズの小さい方の円柱部分４２の第二端面４２３がサイズの最小となるようにし、それに対応して、台座２ａ上の第四円周側面２０４も円錐面とし、かつ階段状シールリング４ａの径方向サイズの小さい方の円柱部分４２の台座の第二接続表面２０３に隣接する一端の径方向サイズが最大となるようにする。
【００４６】
本実施例において、レンズ１ａの第二底面１０４と台座２ａの第二接続表面２０３の間に更にシーリング材を設置し、レンズ１ａと台座２ａの間の密封効果を更に増強するために用いる。
本実施例において、レンズ１ａと台座２ａの間に形成される密閉された収容スペース内に更に封止剤を充填し、発光効率の向上に用いることもできる。
【００４７】
本実施例のＬＥＤモジュールの取り付け手順は以下の通りである。
組立済みの光源アセンブリ３ａ（ＰＣＢＡ及びＬＥＤ発光体等の基盤を含む）を台座２ａに取り付ける。
階段状シールリング４ａをレンズ１ａの第二円周側面１０２に重ね、かつ階段状シールリング４ａの内輪円周面４３と第二円周側面１０２を相互に貼り合わせる。
台座２ａの環状突壁２０１ａをレンズ１ａの環状凹溝１０ａに挿入し、階段状シールリング４ａの径方向サイズの小さい方の円柱部分４２の外周面４２１と台座２ａの第四円周側面２０４を相互に接触させる。
ネジに沿って回転することにより、レンズ１ａと台座２ａをネジ締めすることで、階段状シールリング４ａの第一フランジ４１の第一端面４１１とレンズ１ａ上の環状凹溝１０ａの第二底面１０４を相互に接触させ、階段状シールリング４ａの第一フランジ４１の径方向サイズの小さい方の一端４２に近接する軸方向に向かう端面４１２と台座２ａの第二接続表面２０３を相互に接触させる。
【００４８】
本発明の階段状シールリング４ａの密封構造は以下の通りである。
階段状シールリング４ａの第一フランジ４１の第一端面４１１とレンズ１ａの第二底面１０４が相互に接触し、第一フランジ４１の径方向サイズの小さい方の円柱部分４２に近接する軸方向に向かう端面４１２と台座２ａの第二接続表面２０３が相互に接触し、かつ階段状シールリング４ａの内輪面４３とレンズ１ａ上の第二円周側面１０２が相互に接触し、階段状シールリング４ａの径方向サイズの小さい方の円柱部分４２の外周面４２１と台座の第四円周側面２０４が相互に接触する。
【００４９】
レンズ１ａ又は台座２ａを回転させて、レンズ１ａと台座２ａを相互に接近させる時に、階段状シールリング４ａの第一フランジ４１がレンズ１ａの第二底面１０４と台座２ａの第二接続表面２０３の間で押圧されて変形し、階段状シールリング４ａの第一フランジ４１の第一端面４１１とレンズ１ａ上の第二底面１０４との接触、並びに第一フランジ４１の径方向サイズの小さい方の円柱部分４２に近接する軸方向に向かう端面４１２と台座２ａの第二接続表面２０３との接触を更に緊密なものとさせ、これにより良好な密封を実現する。
【００５０】
また、階段状シールリング４ａの径方向サイズの小さい方の円柱部分４２の外周面４２１に複数組のかぎ状部分４２２が設置され、かぎ状部分の方向が第一フランジ４１の方向に向いていることから、かぎ状部分が回転中に押圧されて変形し、かぎ状部分と台座２ａ上の第四円周側面２０４が更に緊密に貼り合わせられ、良好な密封を実現する。他面において、かぎ状部分が変形すると同時にレンズ１ａの第二円周側面１０２を押圧し、階段状シールリング４ａの内輪面４３とレンズ１ａの第二円周側面１０２との接触を更に緊密なものとさせ、更に良好な密封を実現する。
【００５１】
更に、階段状シールリング４ａの径方向サイズの小さい方の円柱部分４２の外周面４２１が円錐面であって、このことは、レンズ１ａと台座２ａを相互にネジ締めし、かつ階段状シールリング４ａを圧着する手順において、まず、階段状シールリング４ａの径方向サイズの小さい方の円柱部分４２の外形が下から上に向かって徐々に大きくなっていくため、良好な誘導性を有し、台座２ａの環状突壁２０１ａをレンズ１ａの環状凹溝１０ａに挿入し易くし、かつ階段状シールリング４ａの径方向サイズの小さい方の円柱部分４２の断面が楔形であることから、レンズ１ａと台座２ａを相互にネジ締めし、階段状シールリング４ａを圧着する手順において、レンズ１ａと台座２ａの間の距離が近付くにつれて、階段状シールリング４ａの軸方向に加わる作用力も徐々に大きくなり、階段状シールリング４ａとレンズ１ａ及び台座２ａとの間のそれぞれの貼り合わせを更に緊密なものとさせる。
【００５２】
本実施例において、前記台座の環状突壁の上表面に、更にシーリング材が充填される、凹溝を設置してもよい。
【００５３】
本発明のその他の実施形態において、レンズアセンブリに雄ネジを設置し、台座に雌ネジを設置してもよく、例えば本実施例における階段状シールリングを倒置する等、シールリングとそれに対応する構造を適切に調整することができる。その具体的な方式については、本分野の技術者ならば簡単な変換によってこれを確定できることから、ここでは更に詳述しないものとする。
【００５４】
本実施例において、台座２ａの下端に幾つかのフィンが設置され、それらフィンには幾つかのプレートフィンと幾つかの円環フィンが含まれ、当該幾つかのプレートフィンが中間位置に設置され、当該幾つかの円環フィンが当該幾つかのプレートフィンの周りに設置される。それらフィンの内、プレートフィンが放熱面積を増加させる効果を有し、円環フィンが全体の構造強度を向上させる効果を有する。本発明ではプレートフィンと円環フィンを組み合わせて台座２ａの放熱部分としており、従来技術における台座に比べ、放熱効果を保証するのみならず、台座の強度を向上させる。その他の実施形態において、台座の下端面にフィンを設置せず、全てのＬＥＤモジュールにつき直接台座２ａを介して放熱を行ってもよいことは言うまでもない。台座にフィンを設置するか否か、及びどのようにフィンを設置するかについては、具体的な状況と要求に応じて、これを設計できるものとし、特に限定されるものではない。
【００５５】
本実施例において、台座２ａの他側に更に防水ジョイント７が設置され、防水ジョイント７の一端が防水ワイヤーに接続され、他端が台座２ａを貫通して光源アセンブリ３ａに接続され、かつ防水ジョイント７と台座２ａの間に更にワイヤー通過孔シールリング６が設置され、密封される。防水ワイヤーをＬＥＤモジュール外側に設置する方式で、ＬＥＤ発光体の通電を実現してもよいことは言うまでもなく、特に限定されるものではない。
【００５６】
本発明は更に照明装置を提供するが、当該照明装置に幾つかのＬＥＤモジュールが設置され、かつ当該ＬＥＤモジュールには上述の前記ＬＥＤモジュールが採用されることから、ここでは更に詳述しない。
【００５７】
実施例二
図６に示すように、本実施例は、レンズアセンブリと、台座２ｂと、光源アセンブリ３ｂとを有し、レンズアセンブリが台座２ｂの上端面上に取り付けられ、両者の間がネジ接続され、かつ密閉された収容スペースが形成され、光源アセンブリ３ｂが当該収容スペース内に位置し、台座２ｂの下端に幾つかのフィンが設置され、ＬＥＤモジュールの放熱のために用いられる、ＬＥＤモジュールを提供する。
【００５８】
本実施例において、レンズアセンブリは配光レンズ１ｂであって、その上端に突起配光構造１０６が設置され、本発明を街灯に運用できるものとしている。またその他にも、配光が必要な照明器具にも使用でき、これらのみに限定されるものではない。レンズ１ｂの突起配光構造１０６は非対称であって、光照射方向の要求に応じて、レンズ１ｂの周方向における取り付け方向を確定する。本実施例におけるＬＥＤモジュールのその他構造はいずれも実施例一の説明に準ずるものとし、ここでは更に詳述しない。
【００５９】
本実施例は更に照明装置を提供するが、当該照明装置内に幾つかのＬＥＤモジュールが設置され、かつ当該ＬＥＤモジュールには上述の前記モジュールが採用されることから、ここでは更に詳述しない。
【００６０】
実施例三
図７−８に示すように、本実施例は、レンズアセンブリと、台座２ｃと、光源アセンブリ３ｃとを有し、レンズアセンブリが台座２ｃの上端面に取り付けられ、両者の間がネジ接続され、かつ并密閉された収容スペースが形成され、光源アセンブリ３ｃが当該収容スペース内に位置し、台座２ｃの下端に幾つかのフィンが設置され、これにより放熱器が形成され、放熱に用いられる、ＬＥＤモジュールを提供する。
【００６１】
本実施例において、図７に示す通り、レンズアセンブリはレンズ１ｃとレンズ締め付けリング８によって構成され、更にレンズ締め付けリング８に好ましくは金属材質が採用され、レンズ締め付けリング８に良好な強度を持たせ、クラックの出現等の損壊を防止する。またレンズ１ｃは辺縁部と辺縁部の径方向の円周面に対して上方に突起するレンズ部を有し、更に辺縁部の径方向サイズが上方に突起するレンズ部の径方向サイズより大きく、かつその辺縁部が台座２ｃに対向して開口し、レンズ１ｃの辺縁部の周方向に沿って環状凹溝１０ｃが設置され、環状凹溝１０ｃ内の構造設定は実施例１と同様である。しかしながら、本発明のその他の実施形態において、環状凹溝内の構造設定が、例えば多段の階段状部分を有する等、実施例１と異なってもよいことは言うまでもなく、特に限定されるものではない。
【００６２】
図８に示すように、台座２ｃの上端面の外辺縁上方に環状突壁２０１ｃが設置され、円環状突壁２０１ｃの形状がレンズ１ｃに設置される環状凹溝１０ｃと相互に係合し、光源アセンブリ３ｃが環状突壁２０１ｃで囲まれた領域内に位置し、環状突壁２０１ｃ内側面の構造設定は実施例１と同様である。
【００６３】
本実施例において、レンズ締め付けリング８の内側壁の円周に雌ネジ８０１が設置され、台座２ｃ上の環状突壁２０１下部の外側壁に雌ネジ８０１と係合する雄ネジ２０５が設置される。またレンズ締め付けリング８がレンズ１ｃの辺縁部の上端面に押圧され、かつ雌ネジ８０１と雄ネジ２０５のネジ接続を介してレンズ締め付けリングを台座２ｃに接続し、これによりレンズ１ｃと台座２ｃの間の固定的な接続を更に万全なものとする。
【００６４】
更に、本実施例では、レンズ１ｃの台座２ｃに対向する一側に位置決めカラムが設置され、かつ台座２の上端面に位置決めホールが対応するように設置され、位置決めカラムと位置決めホールを係合させ接続させることで、レンズアセンブリの位置決めを実現し、偏光設計のニーズを満たす。
【００６５】
具体的には、レンズ１ｃと台座２ｃの接続は、環状突壁２０１ｃが環状凹溝１０ｃ内に延在することによって、その接続が実現される。本実施例において、環状凹溝１０ｃと環状突壁２０１ｃの間に更にシールリングが設置され、レンズ１ｃと２ｃの間の密封効果を強化するために用いられ、シールリングには好ましくは階段状シールリング４ｃを採用する。更に好ましくは、環状凹溝１０ｃと環状突壁２０１ｃの間に更にシーリング材が設置され、レンズ１ｃと台座２ｃの間の密封効果を更に強化するために用いられる。
本実施例では、レンズアセンブリの配光部品と接続部品を分離しており、このように分離することで、レンズの材料選定に多くの選択肢を付与する。
【００６６】
配光は、主にレンズ部の形状、サイズ、及びＬＥＤ発光素子の相対位置によって決定され、通常、各異なる照明環境レンズ群に応じて各異なる配光手段が存在し、同一ロットの製品においても往々にして複数の配光手段、複数のレンズ群が存在する。レンズ群とネジ接続部分が一体成型される場合は、複数の金型を設計する必要があり、かつレンズ群とネジ接続部分を同時に成型する金型のコストは高く、反復的な金型修理のコストも高額に上る。ネジ接続部分はレンズ群から二つの素子に分離でき、それぞれ成型すれば、ネジ接続部分の金型は一セットのみで足り、別途、単独でレンズ群の金型を設計すればよく、レンズ群の金型は簡素化され、複数の金型を設計し、又は金型を修理するコストをいずれも削減できる。
【００６７】
レンズ群の材料選定では材料の透光性能、機械性能和戸外性能を考慮しなければならず、また生産コストが低いものでなければならない。ネジ接続部分とレンズ群を一体成型する場合は、材料の機械性能と同時に材料の光学性能をも考慮しなければならない。ネジ接続部分をレンズ群から分離する場合は、機械性能に対するレンズ群の材料選定の要求は低くなり、また生産に使用する金型も簡易化でき、大規模生産時に用いることで、コストを削減することが可能となる。レンズ群の選定可能な材料の範囲は拡大することができ、各異なる性能の要求に応じて各異なる材料を使用できるものであって、例えば難燃性に対する要求が高い場合は難燃性の高いガラスを使用できる等により、ガラスが弾性性能に劣るという問題を避けることができる。また、例えば強度に対する要求が高い場合は、有機ガラス材料を使用でき、有機ガラスが弾性に劣るという問題を避けることができる。また、例えば透光性フィルターに対する要求が高い場合は、ＰＭＭＡ（アクリル）を使用することで、ＰＭＭＡ（アクリル）の強度が不足して断裂し易い問題を避けることができる。
【００６８】
この他、締め付けリングの材料は透光材料であっても、透光性能が不良であってもよいが、例えば、金属材料のように、製造し易く、低コストであって、機械性能と機械加工性能がいずれも良好な材料とする。
【００６９】
本発明は更に照明装置を提供するが、当該照明装置内には幾つかのＬＥＤモジュールが設置され、かつ当該ＬＥＤモジュールには上述の前記モジュールが採用されることから、ここでは更に詳述しない。
【００７０】
実施例四
図９−１０に示すように、本実施例は、レンズアセンブリと、台座２ｄと、光源アセンブリ３ｄとを有し、レンズアセンブリが台座２ｄに取り付けられ、両者の間がネジ接続され、かつ密閉された収容スペースが形成され、光源アセンブリ３ｄが当該収容スペース内に位置し、台座２ｄの下端に幾つかのフィンが設置され、放熱に用いられる、ＬＥＤモジュールを提供する。
【００７１】
本実施例において、レンズアセンブリは、レンズ１ｄを有し、レンズ１ｄはボトルキャップ状を呈し、その台座に対向する一端が開口している。レンズ１ｄには一体射出成型レンズを採用しても、組立レンズを採用してもよく、特に限定されるものではない。レンズ１ｄはレンズ部と台座との接続のために用いられる接続部とを有し、前記接続部は円柱形であって、かつ台座２ｄと隣接する一側が開口している。前記接続部の台座２ｄに対向する円周辺縁に第一同一方向歯状構造１０７が設置され、前記第一同一方向歯状構造１０７は、具体的には、レンズ１ｄの接続部の台座２ｄに対向する円周辺縁に沿って好ましくは均一に設置される方向の一致する幾つかの歯を有し、更に、レンズ１ｄの前記接続部の内側壁に雌ネジが設置される。レンズ１ｄのレンズ部の出光面外周に突壁が設置され、前記突壁の内側面に反射層が設置され、発光効率の向上に用いられる。
【００７２】
台座２ｄとレンズ１ｄが相互に接続される一側に突起を有する台座２０が設置され、光源アセンブリ３ｄはネジ５等の接続構造を介して台座２０に取り付けられる。台座２０外側壁の周りに前記雌ネジと相互に係合する雄ネジ２０５ｄが設置される。台座２ｄのそのレンズ１ｄと接続する一側であって、かつ台座２０ｄの底部に位置する周囲の位置に第一同一方向歯状構造１０７と相互に係合する第二同一方向歯状構造２０７が設置され、かつ第一同一方向歯状構造１０７と第二同一方向歯状構造２０７の（歯の）方向が逆向きである。
【００７３】
本実施例のＬＥＤモジュールを組み立てる時には、レンズ１ｄの接続部を台座２０ｄの外側に重ね、かつ第一ネジと第二ネジ２０５ｄを介して台座２ｄの回転接続を実現する。レンズ１ｄを規定の位置まで回転させた後、レンズ１ｄの接続部に設置される第一同一方向歯状構造１０７と台座２ｄ上の第二同一方向歯状構造２０７を相互に噛み合わせ、自動ロックを実現する。更に、本実施例では第一同一方向歯状構造と第二同一方向歯状構造とのネジ接続という二種の接続方式の組合せによる係合を調節することによって、配光が必要なレンズの正確な位置決めが実現される。
【００７４】
本実施例のＬＥＤモジュールはネジ接続の方式を介してレンズ１ｄと台座２ｄの間の回転接続を実現し、かつ第一同一方向歯状構造１０７と第二同一方向歯状構造２０７の間の噛合を介して、台座２ｄとレンズ１ｄの間の自動ロックが実現される。これによりレンズ１ｄと台座２ｄの間の接続を補強し、両者の間に緩みが出現することを防止する。
【００７５】
また、本実施例はネジに加えて歯状構造による接続方式を採用し、従来技術のレンズと台座の間に締結具、ネジ等を用いる接続方式に比べ、本実施例ではレンズを台座に圧着させて接続でき、レンズと台座の接触面で力を受けることから、受力面が大きくかつ均一であって、更に良好な密封効果が得られる。
【００７６】
図９と図１０に示すように、本実施例において、レンズ１ｄと台座２ｄの間に更にシールリングが設置され、レンズ１ｄと２ｄの間の密封効果の強化に用いられる。更に、シールリングには、好ましくは階段状シールリング４ｄを採用し、良好な密封効果を持たせる。当該階段状シールリングの設置位置、設置方式及び密封原理は実施例１と同様であることから、具体的な構造と設置については、図１０を参照されたい。
【００７７】
本実施例におけるＬＥＤモジュールのその他構造部分はいずれも実施例一の説明を参照可能であることから、ここでは更に詳述しない。
【００７８】
本実施例では更に照明装置を提供するが、当該照明装置内に幾つかのＬＥＤモジュールが設置され、かつ当該ＬＥＤモジュールには上述の前記モジュールが採用されることから、ここでは更に詳述しない。
【００７９】
実施例五
図１１−１３に示すように、本実施例は、少なくとも一つのＬＥＤ発光素子と電気的接続されるＰＣＢＡ３ｅと、ＰＣＢＡを支持するために用いられる台座２ｅと、台座２ｅが設置される取り付けホルダー６と、ＬＥＤ発光素子の発光面上方に設置されるレンズアセンブリと、レンズアセンブリと台座２ｅの間に圧着され密封に用いられるシールリング４ｅと、レンズアセンブリと台座によって形成される密閉スペース内に位置するＰＣＢＡとを有する、ＬＥＤモジュールを提供する。本実施例において、レンズアセンブリは一体成型の一レンズ１ｅであって、レンズ部を有し、具体的には、当該レンズ部が電球状を呈することから、電球部１１と称され、当該電球部１１は凹溝を有し、当該凹溝の辺縁から外向きに当該電球部１１と一体的に接続される第一ネジ接続部１２が延在し、前記第一ネジ接続部１２に雌ネジが設置される。台座２ｅに第一ネジ接続部１２と相互に係合する第二ネジ接続部２２（当該第二ネジ接続部は実施例一における台座の環状突壁に相当する）が設置され、前記第二ネジ接続部２２に雄ネジが設置され、レンズ１ｅと台座２ｅはレンズ１ｅに設置される第一ネジ接続部１２と台座２ｅに設置される第二ネジ接続部２２を介して固定的に接続され、かつレンズ１ｅのネジ接続部の軸方向にシールリング４ｅが圧着される。
【００８０】
図１２、図１３に示すように、本実施例において、シールリング４ｅは内周面と、第一端面と、円錐面と、第二端面とによって、連続的に接続され、かつ第一端面が円錐体の径方向サイズの大きい方の底面である。対応して、前記レンズアセンブリに前記シールリングと相互に係合する第三係合構造が設置され、前記台座に前記シールリングと相互に係合する第四係合構造が設置される。
【００８１】
図１３に示すように、レンズ１ｅのＬＥＤ発光素子に対向する一面であって、かつＬＥＤ発光素子に近接する方向に環状突起１３が設置され、当該環状突起１３が第一ネジ接続部１２の内側に位置し、かつ当該両者の間に一定の距離が有り、第二溝底面を形成し、更に、前記環状突起の外周面とその隣接する前記第二溝底面の一部分が共同して前記第三係合構造を構成し、シールリング４ｅが当該環状突起１３の外周面に重ね、シールリング４ｅの内周面と環状突起１３の外周面が緊密に貼り合わせられる。本発明のその他の実施形態において、シールリングの内周面は円錐面であってもよい。
【００８２】
図１１に示すように、台座２ｅに一第二環状凹溝が設置され、当該第二環状凹溝は底面２１とスロープ状の内側面２３とを有し、前記第二環状凹溝の周囲に第二環状突壁が形成され、当該第二環状突壁が第二ネジ接続部２２である。前記台座の前記第二環状凹溝の内側面とその隣接する前記底面の一部分が共同して前記第四係合構造を構成する。
【００８３】
本実施例において、当該ＬＥＤモジュールを組み立てる前に、シールリング４ｅの第一端面とレンズ１ｅを相互に貼り合わせ、シールリング４ｅの内周面と環状突起１３の外周面を緊密に貼り合わせる。
【００８４】
シールリング４ｅは、当該ＬＥＤモジュールの組立手順において、レンズ１ｅと台座２ｅの間の相対回転によって圧着され、シールリング４ｅの第二端面と台座２ｅにおける凹溝の底面２１の辺縁部分がまず相互に貼り合わせられ、その後、レンズ１ｅと台座２ｅの継続的な相対回転によってシールリング４ｅが更に圧着されることによって、シールリング４ｅが軸方向において押圧されて変形し、かつシールリング４ｅの内周面とレンズ１ｅにおける環状突起１３の外周面が相互に貼り合わせられることによって、シールリング４ｅは径方向においてのみ外に向かって拡張及び変形し、レンズ１ｅと台座２ｅの軸方向における間隔が短くなるに従い、シールリング４ｅの径方向における拡張及び変形が徐々に顕著になり、シールリング４ｅの円錐面と台座２ｅにおけるスロープ状の内側面２３を徐々に貼り合わせる。
【００８５】
シールリング４ｅが圧着された後、その円錐面と台座におけるスロープ状の内側面２３が相互に貼り合わせられ、シールリング４ｅの第二端面と台座２ｅにおける凹溝の底面２１の辺縁部分が相互に貼り合わせられる。
【００８６】
本実施例において、形状が楔形のシールリング４ｅが密封を実現する原理は以下の通りである。
シールリングが環状突起の外輪に重ねられ、かつその内周面と環状突起の外輪円周面が緊密に貼り合わせられ、レンズと台座がネジ接続される時、レンズによる押圧下において、シールリングの円錐面と台座における斜面が相互に貼り合わせられ、シールリングの第二端面と台座における凹溝の底面辺縁が相互に貼り合わせられる。このように、シールリングの圧着手順では、まず、シールリングの外周面が円錐面であり、良好な誘導性を有することから、レンズが台座に容易に挿入され、かつシールリングのこの時の断面が楔形であり、シールリングを回転によって圧着させる手順において、レンズアセンブリと台座の間の距離が短くなるに従い、シールリングの軸方向に加わる作用力が徐々に大きくなることから、シールリングとレンズアセンブリ及び台座の間がそれぞれ更に緊密に貼り合わせられ、密封を実現する。
【００８７】
好ましくは、本実施例において、台座２ｅにおける第二ネジ接続部２２のシールリング４ｅが位置する外側の位置に更に環状凹溝２４が設置され、当該環状凹溝２４内に密封に使用する接着剤が塗布される。更に、環状凹溝２４の発光素子に近接する一端の高さが発光素子から離れた一端の高さより低く、レンズアセンブリと台座の取り付け手順において、接着剤が加圧されて、接着剤がＬＥＤモジュールの外部に漏出することを防止する。本発明のその他の実施形態において、環状凹溝２４を台座２ｅのシールリング内側の位置に設置してもよい。
【００８８】
この他、図１１に示すように、本実施例において、レンズ１ｅの第一ネジ接続部１２の外周面上に更に滑り防止のための複数の突起が設置される。
【００８９】
本発明のその他の実施形態において、レンズアセンブリの電球部を配光に用いる不規則な凸レンズに代替してもよい。
【００９０】
好ましくは、レンズアセンブリにおける第一ネジ接続部と台座における第二ネジ接続部が相互に係合する二条ネジであってよい。二条ネジの設置によって、レンズアセンブリを固定位置においてのみ台座にねじ込めるようにすれば、回転角度の設定時にレンズアセンブリを台座に取り付けた後の位置の一致性を保証できる。また特にレンズアセンブリの電球部が特殊な配光設計構造を有する場合、レンズアセンブリと発光チップの位置が配光の要求に基づき相対的に固定される必要があり、二条ネジ構造の設計は、レンズを台座に取り付けた後の台座との相対的な位置を要求に従って設定でき、かつ各ＬＥＤモジュール間における一致性の維持を保証でき、これにより配光設計を保証できる。
【００９１】
図１１と図１２に示すように、本実施例において、台座２ｅにスルーホールが設置され、電源を接続する導線の通過に用いられ、具体的には、当該導線が防水ワイヤー９内に設置され、かつ当該導線と台座２ｅの接続位置がシールリングを介して密封され、ＬＥＤモジュール全体の密封防水性を保証する。
本実施例において、台座２ｅにフィンが設置され、その具体的な設置及び構造は実施例一と同様であることから、ここでは更に詳述しない。
【００９２】
以上を要約すれば、本発明は、台座と、レンズアセンブリと、光源アセンブリとを有し、光源アセンブリが台座の一側に設置され、レンズアセンブリと台座が接続され密閉された収容スペースが形成され、光源アセンブリが当該収容スペース内に位置し、かつレンズアセンブリと台座の間が回転ネジで接続され、レンズアセンブリと台座の接続位置に更にシールリングが設置され、好ましくは、更にシーリング材が設置されてもよい、ＬＥＤモジュールを提供する。本発明が提供するＬＥＤモジュールは、レンズアセンブリと台座の間にネジ接続を採用し、レンズアセンブリと台座の間の受力面を大きくし、受力を均等にすることで、レンズアセンブリと台座の間の接続を堅牢にし、良好な密封性を持たせ、かつ台座とレンズアセンブリの間の取り付け及び取り外しを容易にする。この他、レンズアセンブリと台座の接続部にそれぞれシールリングが設置され、好ましくは、更にシーリング材が設置されてもよく、これにより、レンズアセンブリと台座の間に良好な密封効果を持たせる。
【００９３】
本技術分野の技術者ならば、本発明の精神又は範囲を逸脱することなく、本発明が数多くのその他具体的な形態で実現できることを理解すべきである。本発明の実施例について上述の通り説明したが、本発明はこれら実施例に限定されるものではなく、本技術分野の技術者ならば、請求項によって画定される本発明の精神と範囲内において、変更、修正を行うことが可能であることを理解すべきである。
【符号の説明】
【００９４】
台座２ａ、光源アセンブリ３ａ、レンズ１ａ、階段状シールリング４ａ、環状凹溝１０ａ、第一円周側面１０１、第二円周側面１０２、第一底面１０３、第二底面１０４、第一接続表面１０５、環状突壁２０１ａ、ネジ５、第三円周側面２０２、第四円周側面２０４、第二接続表面２０３、第一フランジ４１、径方向サイズの小さい方の円柱部分４２、外周面４２１、かぎ状部分４２２、第一端面４１１、軸方向端面４１２、内輪面４３、第二端面４２３、配光レンズ１ｂ、台座２ｂ、光源アセンブリ３ｂ、突起配光構造１０６、台座２ｃ、レンズ１ｃ、レンズ締め付けリング８、環状凹溝１０ｃ、環状突壁２０１ｃ、雌ネジ８０１、雄ネジ２０５、階段状シールリング４ｃ、台座２ｄ、レンズ１ｄ、第一同一方向歯状構造１０７、第二同一方向歯状構造２０７、ネジ５、台座２０ｄ、雄ネジ２０５ｄ、階段状シールリング４ｄ、ＰＣＢＡ３ｅ、台座２ｅ、取り付けホルダー６、シールリング４ｅ、レンズ１ｅ、電球部１１、第一ネジ接続部１２、第二ネジ接続部２２、底面２１、内側面２３、環状突起１３、環状凹溝２４、防水ジョイント７、防水ワイヤー９。
【図１】
0006521542.tif 000002
【図２】
0006521542.tif 000003
【図３】
0006521542.tif 000004
【図４】
0006521542.tif 000005
【図５】
0006521542.tif 000006
【図６】
0006521542.tif 000007
【図７】
0006521542.tif 000008
【図８】
0006521542.tif 000009
【図９】
0006521542.tif 000010
【図１０】
0006521542.tif 000011
【図１１】
0006521542.tif 000012
【図１２】
0006521542.tif 000013
【図１３】
0006521542.tif 000014